(57)【要約】      （修正有）【課題】外れやすそうに見えることがなく、また連結具が容易に取り付けられる磁気リングを提供する。【解決手段】磁石と、その他のピースとで構成され、特定又は不特定に配列されたピース群と、このピース群を拘束し、内部に列状に配置した樹脂チューブが外皮となるリング本体２と、このリング本体２の両端部に、その両端部が互いに係脱させる連結具４を備えている。連結具４は本体４ａと挿脱体４ｂとより成っていて、本体４ａ及び挿脱体４ｂとの取付は、樹脂チューブがそれぞれの固定穴１０及び１３に挿入、折り返され、重ね合され、外嵌の結束輪体と熱接着して行なわれる。【選択図】図１
0003169401.tif 000002
【実用新案登録請求の範囲】
【請求項１】
磁石と、その他のピースとで構成され、特定又は不特定に配列されるピース群と、このピース群を拘束し、内部に列状に配置した樹脂チューブが外皮となるリング本体と、このリング本体の両端部に、その両端部を互いに係脱させる連結具とを備え、前記連結具は本体と挿脱体とより成り、前記挿脱体及び本体に形成の固定穴に前記樹脂チューブの両端部がそれぞれ挿入、折り返され、その折り返されて重ね合された部位に結束輪体が外装され、この結束輪体と前記樹脂チューブが熱接着して成ることを特徴とする磁気リング。
【請求項２】
前記リング本体の樹脂チューブと前記結束輪体との熱接着した部位にそれを覆うカバーを配したことを特徴とする請求項１記載の磁気リング。
【請求項３】
前記樹脂チューブは、熱収縮性を持つものであることを特徴とする請求項１又は２記載の磁気リング。
【請求項４】
前記その他のピースが天然石やプラスチックの玉からなることを特徴とする請求項１記載の磁気リング。
【考案の詳細な説明】
【技術分野】
【０００１】
この考案は、環状の磁気リングにあって、ネックレスやブレスレット、アンクレットに関する。
【背景技術】
【０００２】
磁気ネックレス、磁気ブレスレット等の磁気リングは、色々作られ、特許公報にも種々開示されている。例えば特許文献１には、木、プラスチック、ガラス、セラミック、磁性体、金属等で作られたビーズ、管又は連結可能な板、或いは多形状のピースの方面に遠赤外線放射塗料を塗加工し、数珠状、又は両端にフックやカンを設けて連珠状に構成した塗飾を兼ねた保健用遠赤外線放射ネックレスを開示する。
【０００３】
上述の開示されたネックレスでは、構成ピースのそれぞれにひもを通すために穴を形成する加工を施さなければならず、穴加工に手間がかかるという不具合があり、本出願人は特許文献２に示す考案を開発した。
【０００４】
この特許文献２には、天然石６、磁石７とで構成されるピース群３を備える。このピース群３を樹脂チューブ５内に挿入して列状に配置し、さらにその両端部に一対の磁石８を極性を異なるように配する。それから、樹脂チューブ５を加熱して熱収縮を行なわせしめて、リング本体２を形成し、このリング本体２の両端部に前記磁石８による接着留め具４ａ、４ｂが設けられている。
【先行技術文献】
【特許文献】
【０００５】
【特許文献１】実開平７−１１９１９号公報
【特許文献２】実用新案登録第３１６２７４８号
【考案の概要】
【考案が解決しようとする課題】
【０００６】
本出願人の特許文献２には、リング本体２の両端部に、磁気を用いた接着留め具４ａ、４ｂが設けられており、この接着留め具４ａ、４ｂの接着力には問題はない。しかし、接着留め具４ａ、４ｂが磁石のため、磁気リングを外した時に、置いた所が金属（鉄）の場合には、磁石の接着留め具４a、４bが着磁して、使用時に持ち上げる時に取り上げずらいし、また見た目では、磁石の接着留め具は外れ易く見える欠点を持っていた。
【０００７】
そこで、この考案は、リング本体を樹脂チューブ内に天然石等を挿入し、且つ熱収縮させて作り出すが、接着留め具の上述の欠点を解決するためと、見た目の確実性を狙った磁気リングを提供することにある。
【課題を解決するための手段】
【０００８】
この考案に関する磁気リングは、磁石と、その他のピースとで構成され、特定又は不特定に配列されるピース群と、このピース群を拘束し、内部に列状に配置した樹脂チューブが外皮となるリング本体と、このリング本体の両端部に、その両端部を互いに係脱させる連結具とを備え、前記連結具は本体と挿脱体とより成り、前記本体及び挿脱体に形成の固定穴に前記樹脂チューブの両端部がそれぞれ挿入、折り返され、その折り返されて重ね合された部位に結束輪体が外装され、この結束輪体と前記樹脂チューブが熱接着して成ることを特徴としている（請求項１）。
【０００９】
これによって、磁石と、その他のピースとで構成されるピース群が、樹脂チューブにより拘束され、内部に列状に配置されることになると共に、樹脂チューブの両端部に一対の構造型で且つ樹脂性の連結具を備え、この連結具の挿脱体と本体とで係脱されてリング本体が環状となったり、外されたりして、身体に装着したり、取り外すことができる。樹脂チューブが外皮となるリング本体の端部への連結具の取付は、樹脂チューブの熱収縮による連結片が連結具となる本体と挿脱体に形成の固定穴を挿入、折り返され、重ねられ、外装する結束輪体と熱接着して行なわれる。
【００１０】
前記リング本体の樹脂チューブと前記結束輪体との熱接着した部位にそれを覆うカバーを配しているので（請求項２）、カバーにより熱接着部位を隠して見ばえを向上させる。熱接着前には、カバーは本体側へ移動せしめているが、熱接着が完了したら、カバーは熱接着部位に移動される。
【００１１】
前記樹脂チューブは熱収縮性を存するものであることが好ましい（請求項３）。これによって、樹脂チューブ内に磁石と、その他のピースとで構成されるピース群を収納し、しかる後に熱を加えることで、樹脂が収縮され、ピースを特定の配列に維持させることができる。
【００１２】
前記その他のピースが天然石やプラスチックの玉からなることが好ましい（請求項４）。天然石の一つとしてトルマリン石を採用しても良い。
【考案の効果】
【００１３】
上述したように、この考案によれば、樹脂チューブにより磁石、その他のピースが拘束され、内部に列状に配列され、使用状態では移動するなど変化されることがない。このように、磁石、その他のピースが樹脂チューブにより被覆され皮膚に直接触れることが無いためアレルギーの発症を抑えることができる。
【００１４】
また、リング本体の両端部に、その両端部を互いに係脱させる連結具を構造型の挿脱体と本体とより成ることから、置いた所が金属（鉄）であったとしても、着磁して持ち上げる時に取りずらい欠点を解消することができる。また、連結具は構造体で且つ樹脂性で確実に結合が出来ると共に見た目からも確実性が得られる。またリング本体の端部への連結具の取付は、熱接着により容易に行なわれる。
【図面の簡単な説明】
【００１５】
【図１】この考案に係る磁気リングとしてのブレスレットの斜視図である。
【図２】この考案に係る磁気リングの連結具の係合状態を外し、直線状とした一部切欠の平面図である。
【図３】同上の側面図である。
【図４】磁気リングの製造工程を図示し、磁石とその他のピースが樹脂チューブが挿入された状態で、熱を加える前の状態の端部付近の断面図である。
【図５】同上の状態に熱を加えて熱収縮した状態の端部付近の正面図である。
【図６】樹脂チューブの熱収縮した端部に結束輪体を挿入した状態の正面図である。
【図７】樹脂チューブの熱収縮した端部を連結具の一方に形成の固定穴に挿入折り返され、その端部が外装の結束輪体とに熱接着により結合した状態の正面図である。
【図８】同上に於いてカバーを熱接着部位に移動した状態の正面図である。
【図９】連結具の拡大平面図である。
【考案を実施するための形態】
【００１６】
以下、この考案に実施例を図面にもとづいて説明する。
【実施例１】
【００１７】
図１乃至図３には、この考案の磁気リング１が示され、磁気リング１としての磁気ブレスレットが具体例として開示されている。この磁気リング１は、樹脂チューブにより被覆の環状のリング本体２と、このリング本体２内に収納される磁石や所定の大きさの天然石、トルマリン又はプラスチックの玉等からなるピース群３と、前記リング本体２の両端部に備えた連結具４とにより構成されている。
【００１８】
前記リング本体２は、所定の口径（例えば７ｍｍ程）を持ち、所定の長さ（例えば２０ｃｍ程）の樹脂チューブ５により被覆されたもので、その樹脂チューブ５は、熱収縮性を持っている。この熱収縮性の樹脂チューブ５は、ポリオレフィン、ポリ塩化ビニル、ポリフッ化ビニリデンから形成されている。
【００１９】
リング本体２の製造は、図４に示されるように、まず樹脂チューブ５を用意する。その樹脂チューブ５は両端が開口され、その内部に、所定の大きさの天然石やプラスチックの玉６を所定の数挿入し、それと共に磁石７を挿入する。この作業を繰り返すことで、リング本体２内に所定数の天然石やプラスチックの玉４ごとに磁石７が配置される。
【００２０】
そして、その後に、樹脂チューブ５に熱を加える。所定の温度により加熱することで、図５に示されるように、樹脂チューブ５は熱収縮をおこし、内部の天然石やプラスチックの玉６及び磁石７を拘束する。これにより、天然石やプラスチックの玉６及び磁石７の配列が固定される。同時に、樹脂チューブ５の端部５aで天然石やプラスチックの玉６や磁石７が挿入されていない部位は、平板状の連結片８として形成される。
【００２１】
この連結片８を用いて、公知構造の連結具４を取付けている。まず、ここで用いられる連結具４を先に説明し、その後で連結片８を用いて連結具４の取付を説明する。連結具４は、例えば図９に示され、一方が本体４ａ、他方がそれに係止したり、脱離したりする挿脱体４ｂとより成り、前記本体４ａには、厚み方向に形成の固定穴１０ａと長手方向に挿入穴１１を持つ被係止部１２とで構成され、また前記挿脱体４ｂには、厚み方向に形成の固定穴１３と長手方向に形成の鉤状杆１４ａ、１４ｂと位置決め杆１５とで構成され、この一対の鉤状杆１４ａ、１４ｂは少なくとも近づく方向に弾性を有していると共に、外向きに係止爪が形成されている。
【００２２】
この一対の鉤状杆１４ａ、１４ｂを本体４ａの挿入穴１１に挿入されると、鉤状杆１４ａ、１４ｂが被係止部１２に係止され、本体４ａと挿脱体４ｂは係合される。連結具４を外すには、鉤状杆１４ａ、１４ｂを指で両側から挟むようにして撓ませることにより、鉤状杆１４ａ、１４ｂの係止爪が本体４ａの被係止部１２から外れ、挿脱体４ｂが本体４ａとより脱離する。
【００２３】
前記樹脂チューブ５の連結片８と前記連結具４の本体４ａと挿脱体４ｂとの固定は、図６から図８に示され、まず図６に示すように、カバー１７を連結片８側から通し、リング本体２まで移動させる。それから、熱収縮性の樹脂で円形の結束輪体１８を外装する。それがすんだら、連結片８により、リング本体２に連結具４の本体４ａ、挿脱体４ｂを固定するものであるが、固定方法は同一のため、代表して挿脱体４ｂの図が示されている。
【００２４】
まず、図７に示すように、連結片８を挿脱体４ｂの固定穴１３内に挿入、折り返され、重ね合され、さらに重ね合されたその部位に前記結束輪体１８が外装され、その先端が結束輪体１８側へ折り返された上で、熱により熱接着がなされる。即ち連結片８と結束輪体１８とが結合し、しかる後に、カバー１７を熱接着部位側へ図８に示すように移動させて完了する。
【符号の説明】
【００２５】
１  磁気リング
２  リング本体
３  ピース群
４  連結具        
４a 本体        
４b 挿脱体
５  樹脂チューブ  
５a 端部
６  天然石やプラスチックの玉
７  磁石
８  連結片
１０  固定穴
１１  挿入穴
１２  被係止部
１３  固定穴
１４ａ，１４ｂ  鉤状杆
１５  位置決め杆
１７  カバー
１８  結束輪体
【図１】
0003169401.tif 000003
【図２】
0003169401.tif 000004
【図３】
0003169401.tif 000005
【図４】
0003169401.tif 000006
【図５】
0003169401.tif 000007
【図６】
0003169401.tif 000008
【図７】
0003169401.tif 000009
【図８】
0003169401.tif 000010
【図９】
0003169401.tif 000011